(57)【要約】【課題】  装置本体側面に設けられる再搬送機構の開放角度を容易に大きくして、メンテナンス時の作業性の向上を図る。【解決手段】  作業領域が小さくてよいジャム処理時には、ＡＤＵユニット４５を第１の穴部７６を支点として回動する。カラー複写機１内部のメンテナンス時には、ＡＤＵユニット４５を第２の穴部７７を支点として回動して、ＡＤＵユニット４５の回動角度を拡大する。これに伴いＴＲＵユニット６０の開放角度も拡大し、装置本体側面１ａを大きく開放する。フロントピン５２及びリアピン５３をスリット部７８に沿ってスライドし、ＡＤＵユニット４５の回転支点を第１の穴部７６から第２の穴部７７に移動する。【選択図】図１５
2007310017.tif 000002
【特許請求の範囲】
【請求項１】
装置本体の側面に開閉可能に設けられ、定着後の被転写媒体を再度転写位置に搬送する再搬送機構と、
前記再搬送機構の下方部分に位置する前記再搬送機構の回転軸と、
前記前記回転軸を支持して前記再搬送機構を第１の角度で開閉する第１の軸受け、前記回転軸を支持して前記再搬送機構を前記第１の角度より広角の第２の角度で開閉する第２の軸受け及び、前記第１の軸受けと前記第２の軸受け間に形成され前記回転軸をスライド移動可能に支持する連結部からなる支持機構とを具備することを特徴とする画像形成装置。
【請求項２】
前記連結部は、前記再搬送機構を、前記第１の角度に開放するまでの所定の角度に開放した状態のときに、前記回転軸をスライド移動可能に支持することを特徴とする請求項１記載の画像形成装置。
【請求項３】
前記回転軸の断面は、円の一部を切り欠いたカム状であり、前記所定の角度は、前記連結部に前記カム状の前記回転軸が嵌る角度であることを特徴とする請求項２記載の画像形成装置。
【請求項４】
前記装置本体内にて前記再搬送機構に隣接し、下方部分を支点として開閉可能に設けられ、給紙部から供給される前記被転写媒体を前記転写位置方向に搬送する搬送機構を更に具備することを特徴とする請求項１乃至請求項３のいずれか記載の画像形成装置。
【発明の詳細な説明】
【技術分野】
【０００１】
本発明は複写機やプリンタ等にて、装置本体のメンテナンス作業性を向上させた画像形成装置に関する。
【背景技術】
【０００２】
複写機やプリンタ等の画像形成装置では、少なくとも片面に定着トナー像を形成されたシート紙を、再び転写位置へ搬送するための、両面給紙ユニット（以下ＡＤＵユニットと略称する。）を備えるものがある。
【０００３】
このＡＤＵユニットを、装置本体内の用紙搬送路に隣接するように、装置本体側面に設けたものがある。これにより装置本体のコンパクト化を図り、又仕様の異なる装置間で、共通のＡＤＵユニットを装着可能としている。
【０００４】
従来ＡＤＵユニットを装置本体側面に設けた場合、ジャム処理発生時には、ＡＤＵユニットを、下方を支点として回動し、装置本体側面を開放して、ジャム処理を行っている（例えば、特許文献１〜３参照。）。
【特許文献１】特開２００５−１１５２１８号公報（段落（００２２）、図３）
【特許文献２】特開２００５−３１３５３号公報（段落（００２０）〜（００２７）、図５）。
【特許文献３】特開２００１−２３３０号公報（段落（００１８）、図５）。
【０００５】
他方近年、画像形成装置にあっては、ジャム処理のみならず、装置本体内の各ユニット等のメンテナンスを、ＡＤＵユニットが設けられる装置本体側面から行う装置がある。
【発明の開示】
【発明が解決しようとする課題】
【０００６】
しかしながら(特許文献１)乃至(特許文献３)の、ＡＤＵユニットの装置本体に対する開放角度は、ジャム処理を行える程度とされている。従って装置本体内部のユニットのメンテナンスを行うために、装置本体側面を大きく開放するには、従来はＡＤＵユニットを装置本体から取り外さなければならなかった。このため、メンテナンス時の作業性を低下し、更には、装置本体とＡＤＵユニットを接続する配線に負荷がかかる恐れがあった。このことから、装置本体側面にＡＤＵユニットを設けた装置にあっては、メンテナンス時に、装置本体側面に対するＡＤＵユニットの開放角度を容易に拡大してメンテナンス作業を軽減することが望まれている。
【０００７】
そこで本発明は上記課題を可決するものであり、メンテナンス作業性を低下することなく、きわめて容易な作業によりＡＤＵユニットの開放角度を拡大して、装置本体側面を大きく開放する。これにより置本体内部のユニットのメンテナンスを容易にし、メンテナンス時の作業性を軽減する画像形成装置を提供することを目的とする。
【課題を解決するための手段】
【０００８】
本発明は上記課題を解決するための手段として、装置本体の側面に開閉可能に設けられ、定着後の被転写媒体を再度転写位置に搬送する再搬送機構と、前記再搬送機構の下方部分に位置する前記再搬送機構の回転軸と、前記前記回転軸を支持して前記再搬送機構を第１の角度で開閉する第１の軸受け、前記回転軸を支持して前記再搬送機構を前記第１の角度より広角の第２の角度で開閉する第２の軸受け及び、前記第１の軸受けと前記第２の軸受け間に形成され前記回転軸をスライド移動可能に支持する連結部からなる支持機構とを設けるものである。
【発明の効果】
【０００９】
本発明によれば、再搬送機構の回転軸を第２の軸受けにスライド移動して、再搬送機構を、第１の角度より広角の第２の角度で開放することにより、再搬送機構を装置本体から取り外すことなく、装置本体側面を容易に大きく開放できる。この結果、メンテナンス時の作業性を軽減でき、且つ再搬送機構の配線にかかる負荷の軽減を図れる。
【発明を実施するための最良の形態】
【００１０】
以下本発明の実施例について図１乃至図１６を用いて説明する。図１は、本発明の画像形成装置である４連タンデム方式のカラー複写機１を示す概略構成図であり、図２は、カラー複写機１の中間転写ベルト、ＡＤＵユニットおよびＴＲＵユニットを示す概略説明図である。カラー複写機１は上方にスキャナ部２及び胴内排紙部３を備える。カラー複写機１は、中間転写ベルト１０の下側に沿って並列配置されるイエロ（Ｙ）、マゼンタ（Ｍ）、シアン（Ｃ）、ブラック（ＢＫ）の４組の画像形成ユニット１１Ｙ、１１Ｍ、１１Ｃ及び１１ＢＫを備える。
【００１１】
各画像形成ユニット１１Ｙ、１１Ｍ、１１Ｃ及び１１ＢＫは、それぞれ感光体ドラム１２Ｙ、１２Ｍ、１２Ｃ及び１２ＢＫを有している。感光体ドラム１２Ｙ、１２Ｍ、１２Ｃ及び１２ＢＫ周囲には、その矢印ｔ方向の回転方向に沿って帯電チャージャ１３Ｙ、１３Ｍ、１３Ｃ及び１３ＢＫ、現像装置１８Ｙ、１８Ｍ、１８Ｃ及び１８ＢＫ、及び感光体クリーニング装置２１Ｙ、２１Ｍ、２１Ｃ及び２１ＢＫを配置してなっている。感光体ドラム１２Ｙ、１２Ｍ、１２Ｃ及び１２ＢＫ周囲の帯電チャージャ１３Ｙ、１３Ｍ、１３Ｃ及び１３ＢＫから現像装置１８Ｙ、１８Ｍ、１８Ｃ及び１８ＢＫにいたる間には、レーザ露光装置１６により露光々が照射される。
【００１２】
レーザ露光装置１６は、半導体レーザ素子から出射されたレーザビームを、ポリゴンミラー１６ａにより感光体ドラム１２Ｙ〜１２ＢＫの軸線方向に走査し、結像レンズ系１６ｂ、各ミラー４４を経て感光体ドラム１２Ｙ〜１２ＢＫ上に結像させる。
【００１３】
帯電チャージャ１３Ｙ、１３Ｍ、１３Ｃ及び１３ＢＫは、感光体ドラム１２Ｙ、１２Ｍ、１２Ｃ及び１２ＢＫ表面を例えば−７００Ｖ程度に一様に全面帯電する。現像装置１８Ｙ、１８Ｍ、１８Ｃ及び１８ＢＫは、それぞれイエロ（Ｙ）、マゼンタ（Ｍ）、シアン（Ｃ）、ブラック（ＢＫ）のトナー及びキャリアからなる二成分現像剤を感光体ドラム１２Ｙ、１２Ｍ、１２Ｃ及び１２ＢＫに供給する。
【００１４】
中間転写ベルト１０は、耐熱性及び耐磨耗性の点から安定した材料である例えば半導電性ポリイミドで製造される。中間転写ベルト１０は、駆動ローラ２２、従動ローラ２４及び、テンションローラ２３により張架される。中間転写ベルト１０の感光体ドラム１２Ｙ、１２Ｍ、１２Ｃ及び１２ＢＫに対向する１次転写位置には、１次転写ローラ２０Ｙ、２０Ｍ、２０Ｃ及び２０ＢＫにより１次転写電圧が印可され、感光体ドラム１２Ｙ、１２Ｍ、１２Ｃ及び１２ＢＫ上のトナー像は中間転写ベルト１０に１次転写される。感光体クリーニング装置２１Ｙ、２１Ｍ、２１Ｃ及び２１ＢＫは、１次転写終了後に感光体ドラム１２Ｙ、１２Ｍ、１２Ｃ及び１２ＢＫ上の残留トナーを廃トナーとして回収する。
【００１５】
中間転写ベルト１０の駆動ローラ２２により支持される２次転写位置には、２次転写ローラ２６が対向配置される。２次転写位置には、例えば給紙部である第１あるいは第２のいずれかの給紙カセット装置２７、２８から被転写媒体であるシート紙Ｐが給紙される。シート紙Ｐは、いずれかの給紙カセット装置２７、２８から、第１あるいは第２のピックアップローラ２７ａ、２８ａに取り出され、次いで、第１あるいは第２の分離ローラ２７ｂ、２８ｂ、第１あるいは第２の搬送ローラ３１、３２を経てレジストローラ３３ａ、３３ｂに搬送される。シート紙Ｐは、レジストローラ３３ａ、３３ｂにより、中間転写ベルト１０上のトナー像と同期して、２次転写位置に給紙される。
【００１６】
２次転写位置にあっては、シート紙Ｐ等を介して２次転写ローラ２６により２次転写電圧が印加され、中間転写ベルト１０上のトナー像はシート紙Ｐに２次転写される。中間転写ベルト１０の２次転写ローラ２６の下流にはベルトクリーナ１０ａが設けられる。ベルトクリーナ１０ａは、２次転写終了後に中間転写ベルト１０に残留するトナーを廃トナーとして回収する。
【００１７】
カラー複写機１は、給紙部であり、手差しによりシート紙Ｐを給紙する手差しトレイ３０を有する。手差しトレイからレジストローラ３３ａ、３３ｂに至る間には、シート紙Ｐを取り出す手差しピックアップローラ３０ａと、最上位のシート紙Ｐを分離搬送する手差し分離ローラ３６を有する。
【００１８】
給紙カセット２７、２８から取り出され、あるいは手差しトレイ３０から給紙されるシート紙Ｐは、縦搬送路３７に沿って、レジストローラ３３ａ、３３ｂ、２次転写ローラ２６を経て、定着装置３８に搬送される。定着装置３８は、２次転写位置にてシート紙Ｐに転写されたトナー像を熱処理によりシート紙Ｐに定着する。定着装置３８の下流には、定着後のシート紙Ｐを搬送する排紙搬送路４１及び、シート紙Ｐを排紙部３に排出する排紙ローラ３ａが設けられる。排紙ローラ３ａは、正逆回転可能となっている。
【００１９】
又、カラー複写機１の装置本体側面１ａには、再搬送機構である両面給紙ユニット(以下ＡＤＵユニットと略称する。)４５が設けられる。ＡＤＵユニット４５は、定着装置３８を経て少なくとも片面にトナー像を定着されたシート紙Ｐを再度２次転写ローラ２６位置に搬送するものである。定着装置３８上方には、反転エリア４０が設けられる。定着装置３８にてトナー像を定着されたシート紙Ｐは、反転エリア４０にて、正転後、逆回転する排紙ローラ３ａにより反転された後ＡＤＵユニット４５方向に戻される。ＡＤＵユニット４５は、装置本体側面１ａを開閉可能に回動する側面カバー５０に保持されている。ＡＤＵユニット４５は、シート紙Ｐを２次転写ローラ２６方向に搬送するための反転搬送ガイド４６と再搬送ローラ４７を有する。
【００２０】
カラー複写機１内のＡＤＵ４５に隣接する位置には、搬送機構である２次転写ユニット(以下ＴＲＵユニットと略称する。)６０が設けられる。ＴＲＵユニット６０は、前述した２次転写ローラ２６、レジストローラ３３ａ、３３ｂ、第２の搬送ローラ３２更には、シート紙Ｐを２次転写ローラ方向に搬送するための搬送ガイド６２が、フレーム６１に保持されている。フレーム６１はその下方部分を支点として回動して、装置本体側面１ａを開閉する。
【００２１】
次にＡＤＵユニット４５及びＴＲＵユニット６０について詳述する。図３及び図４に示すように、ＡＤＵユニット４５の側面カバー５０は、装置本体側面に設けられる支持機構であるフロントブラケット７０及びリアブラケット７１により、開閉可能に支持される。図５Ａに示すように側面カバー５０の下フレーム５１の両側には、回転軸であるフロントピン５２及びリアピン５３が夫々形成される。又、フロントブラケット７０及びリアブラケット７１には夫々フロントピン支持穴７２及びリアピン支持穴７３が形成される。又下フレーム５１両側には、フロントブラケット７０あるいはリアブラケット７１のストッパ７０ａ、７１ａに当たって、ＡＤＵユニット４５の回動を留める凹部５１ａが形成される。
【００２２】
図５Ｂに示すように、フロントピン支持穴７２及びリアピン支持穴７３は、いずれも第１の軸受けである第１の穴部７６、第２の軸受けである第２の穴部７７及び連結部であるスリット部７８からなっている。又フロントピン５２及びリアピン５３はいずれも円柱状の両側５４、５５が切り欠かれている。これによりフロントピン５２及びリアピン５３の断面は、カム状である小判形状となっている。
【００２３】
フロントピン５２及びリアピン５３は、図６に示すように、フロントピン支持穴７２及びリアピン支持穴７３に挿通される。フロントピン５２及びリアピン５３が、第１の穴部７６に支持されている場合、側面カバー５０即ちＡＤＵユニット４５は、装置本体側面１ａに対して第１の角度である例えば５０°の角度で開閉可能となる。又フロントピン５２及びリアピン５３が、第２の穴部７７に支持されている場合、ＡＤＵユニット４５は、装置本体側面１ａに対して第２の角度である例えば９０°の角度で開閉可能となる。
【００２４】
又スリット部７８は、フロントピン５２及びリアピン５３の切り欠いた両側５４、５５が、スリット部７８と平行の場合に、フロントピン５２及びリアピン５３をスライド移動可能に支持する。例えばＡＤＵユニット４５を３５°の角度開放したときにＡＤＵユニット４５のフロントピン５２及びリアピン５３の切り欠いた両側５４、５５が、スリット部７８と平行になり、フロントピン５２及びリアピン５３はスリット部７８に挿通可能となる。
【００２５】
ＴＲＵユニット６０のフレーム６１も、フロントブラケット７０及びリアブラケット７１により、開閉可能に支持される。図７に示すようにフレーム６１の側面下方のピン６１ａが、フロントブラケット７０及びリアブラケット７１のＴＲＵ支持穴７９に回動可能に挿通される。ＴＲＵユニット６０の開放角度は、ＡＤＵユニット４５との干渉により規制される。
【００２６】
次に作用について述べる。カラー複写機１にて、画像形成プロセスを実施する間ＡＤＵユニット４５のフロントピン５２及びリアピン５３は、第１の穴部７６に支持されている。ＡＤＵユニット４５を装置本体側面１ａで閉じているときは、図８に示すように、側面カバー５０の下フレーム５１の凹部５１ａは、フロントブラケット７０あるいはリアブラケット７１のストッパ７０ａ、７１ａから離間している。
【００２７】
このような状態で、例えば縦搬送路３７にジャムを生じた場合、図９及び図１０に示すようにＴＲＵユニット６０を回動するために、ＡＤＵユニット４５を回動する。先ず、ＡＤＵユニット４５を第１の穴部７６を支点として矢印ｆ方向に回動する。ＡＤＵユニット４５を装置本体側面１ａから５０°の回動角度で開放すると、側面カバー５０の下フレーム５１の凹部５１ａは、フロントブラケット７０あるいはリアブラケット７１のストッパ７０ａ、７１ａに当接する。これにより、ＡＤＵユニット４５は回動を停止する。
【００２８】
次いで、ＴＲＵユニット６０を矢印ｆ方向に回動する。ＴＲＵユニット６０は、図１０に示すように、ピン６１ａを支点に、ＡＤＵユニット４５とほぼ同じ５０°回動すると、フレーム６１がＡＤＵユニット４５に当接して回動を停止する。この後、縦搬送路３７の搬送ガイド６２等に生じているジャム処理を行う。ジャム処理完了後は、ＴＲＵユニット６０を矢印ｋ方向に回転してカラー複写機１本体内に戻す。次いでＡＤＵユニット４５を、矢印ｋ方向に回転して、装置本体側面１ａを閉じる。これによりカラー複写機１は、画像形成プロセスを再度実施可能となる。尚、ＡＤＵユニット４５内でジャムを生じた場合は、ＡＤＵユニット４５のみを開放して、ジャム処理可能である。
【００２９】
次にカラー複写機１のメンテナンスを行う場合には、図１２及び図１３に示すように、ＡＤＵユニット４５及びＴＲＵユニット６０をジャム処理時より大きく回動して画像形成装置本体１ａの側面を大きく開放する。先ず、フロントピン５２及びリアピン５３を第１の穴部７６に嵌めた状態で、ＡＤＵユニット４５を装置本体側面１ａと平行な状態から３５°の角度で開放する。これによりフロントピン５２及びリアピン５３の両側５４、５５とスリット部７８とが平行になる。そこでフロントピン５２及びリアピン５３をスリット部７８内に挿入する。次いでフロントピン５２及びリアピン５３をスリット部７８に沿って図１２の矢印ｇ方向にスライドして、フロントピン５２及びリアピン５３を第２の穴部７７に嵌める。
【００３０】
この後、装置本体側面１ａを更に大きく開放するために、図１４及び図１５に示すように、ＡＤＵユニット４５を第２の穴部７７を支点として更に矢印ｆ方向に回動する。ＡＤＵユニット４５を装置本体側面１ａから９０°の回動角度で開放すると、側面カバー５０の下フレーム５１の凹部５１ａはフロントブラケット７０あるいはリアブラケット７１のストッパ７０ａ、７１ａに当接し、ＡＤＵユニット４５は回動を停止する。このとき、ＡＤＵユニット４５の回転支点が上方の第２の穴部７７にあることから、ＡＤＵユニット４５は、手差しトレイとの干渉を回避される。
【００３１】
次に、ＴＲＵユニット６０をピン６１ａを支点に矢印ｆ方向に回動する。ＴＲＵユニット６０は、図１５に示すように約７０°回動すると、フレーム６１がＡＤＵユニット４５に当接して停止される。これにより装置本体側面１ａは大きく開放される。この後カラー複写機１内の中間転写ベルト１０を、矢印ｈ方向にスライドして、装置本体側面１ａから取り出し、メンテナンスを行う。その他、必要に応じて、各画像形成ユニット１１Ｙ、１１Ｍ、１１Ｃ及び１１ＢＫ等を装置本体側面１ａから取り出してメンテナンスすることも可能である。
【００３２】
メンテナンス完了後は、ＴＲＵユニット６０を矢印ｋ方向に回転してカラー複写機１本体内に戻す。次いでＡＤＵユニット４５を、矢印ｋ方向に回転して、装置本体側面１ａから３５°の回動角度を有する位置まで戻す。この位置で、フロントピン５２及びリアピン５３をスリット部７８に通す。次いでフロントピン５２及びリアピン５３をスリット部７８に挿入し、スリット部７８に沿って図１３の矢印ｉ方向にスライドして、フロントピン５２及びリアピン５３を第１の穴部７６に嵌める。
【００３３】
この後、ＡＤＵユニット４５を第１の穴部７６を支点として更に矢印ｋ方向に回動して、装置本体側面１ａを閉じる。これによりカラー複写機１は、画像形成プロセスを再度実施可能となる。
【００３４】
この実施例によれば、ジャム処理時には、第１の穴部７６を支点とすることによりＡＤＵユニット４５の開放角度を５０°とし、これに伴いＴＲＵユニット６０を５０°で開放可能としている。一方、メンテナンス時には、第２の穴部７７を支点とすることにより、ＡＤＵユニット４５の開放角度を９０°とし、これに伴いＴＲＵユニット６０を７０°で開放可能としている。従ってジャム処理時には、小さい作業領域で処理操作を可能となる。この結果、カラー複写機１を設置する際の省スペース化を図れ、又カラー複写機１の設置位置の自由度を拡大できる。他方メンテナンス処理時には、装置本体側面１ａを大きく開放出来、カラー複写機１内部の中間転写ベルト１０等、を装置本体側面１ａから引き出し可能となり、メンテナンス方法の自由度を拡大できる。
【００３５】
しかもスリット部７８を用いて、フロントピン５２及びリアピン５３を、ススライドするのみで、ＡＤＵユニット４５の回転支点を第１の穴部７６から第２の穴部７７に容易に移動できる。従って、カラー複写機１内部をメンテナンスする為にＡＤＵユニット４５を装置本体側面１ａから取り外すという操作が不要となる。この結果メンテナンス時の作業性の向上を実現できる。
【００３６】
尚この発明は上記実施例に限られるものではなく、この発明の範囲内で種々変形可能であり、例えば再搬送機構の開放角度は限定されず、第１の角度はジャム処理が可能であれば良いし、第２の角度は、メンテナンス時に装置本体内の中間転写ベルト等が取り出せればよい。又、再搬送機構の回転軸の形状も任意であり、第１の軸受けあるいは第２の軸受けにて、スムースに回動可能であり、且つ連結部をスライド可能であれば良い。
【００３７】
更に、再搬送機構の回転軸を支持する支持機構の形状や構造も必要に応じて任意である。変形例として、例えば実施例で示したフロントブラケット７０あるいはリアブラケット７１に形成されるフロントピン支持穴７２あるいはリアピン支持穴７３の内部に、支点保持バネ８０を設ける等しても良い。支点保持バネ８０は、図１７に示すように第１の穴部７６にあるフロントピン５２あるいはリアピン５３を、第１の穴部７６内に確実に保持するのを補助する。又支点保持バネ８０は、図１８に示すように第２の穴部７７にあるフロントピン５２あるいはリアピン５３を、第２の穴部７７内に確実に保持するのを補助する。これにより、再搬送機構を開閉するときの作業安定性を高めることが出来る。
【図面の簡単な説明】
【００３８】
【図１】本発明の実施例のカラー複写機を示す概略構成図である。
【図２】本発明の実施例のカラー複写機の中間転写ベルト、ＡＤＵユニット及びＴＲＵユニットの配置を示す概略説明図である。
【図３】本発明の実施例のＡＤＵユニット、フロントブラケット及びリアブラケットを示す斜視図である。
【図４】本発明の実施例のＡＤＵユニット及びフロントブラケットを示す概略側面図である。
【図５Ａ】本発明の実施例の下フレーム、フロントブラケット及びリアブラケットを分散して示す斜視図である。
【図５Ｂ】本発明の実施例の図５の一部を拡大した斜視図である。
【図６】本発明の実施例の下フレーム、フロントブラケット及びリアブラケットを示す斜視図である。
【図７】本発明の実施例のＴＲＵユニットのピン、フロントブラケット及びリアブラケットを示す説明図である。
【図８】本発明の実施例のＡＤＵユニットを閉じた時の下フレームとフロントブラケット及びリアブラケットを示す一部を透視した側面図である。
【図９】本発明の実施例のジャム処理操作時のＡＤＵユニットの開放を示す概略説明図である。
【図１０】本発明の実施例のジャム処理操作時のＴＲＵユニットの開放を示す概略説明図である。
【図１１】本発明の実施例のＡＤＵユニットを５０°開放した時の下フレームとフロントブラケット及びリアブラケットを示す一部を透視した側面図である。
【図１２】本発明の実施例のＡＤＵユニットの回転支点を第１の穴部から第２の穴部にスライドするのを示す概略説明図である。
【図１３】本発明の実施例のＡＤＵユニットの回転支点を第２の穴部から第１の穴部にスライドするのを示す概略説明図である。
【図１４】本発明の実施例のメンテナンス操作時のＡＤＵユニットの開放を示す概略説明図である。
【図１５】本発明の実施例のメンテナンス操作時のＴＲＵユニットの開放を示す概略説明図である。
【図１６】本発明の実施例のＡＤＵユニットを９０°開放した時の下フレームとフロントブラケット及びリアブラケットを示す一部を透視した側面図である。
【図１７】本発明の変形例の第１の穴部でフロントピン及びリアピンを保持するフロントブラケット及びリアブラケットを示す概略側面図である。
【図１８】本発明の変形例の第２の穴部でフロントピン及びリアピンを保持するフロントブラケット及びリアブラケットを示す概略側面図である。
【符号の説明】
【００３９】
１…カラー複写機
１ａ…装置本体
１０…中間転写ベルト
１１Ｙ、１１Ｍ、１１Ｃ、１１ＢＫ…画像形成部
１２Ｙ、１２Ｍ、１２Ｃ、１２ＢＫ…感光体ドラム
２６…２次転写ローラ
２７、２８…給紙カセット
３０…手差しトレイ
４５…ＡＤＵユニット
５０…側面カバー
５１…下フレーム
５１ａ…凹部
５２、５３…フロントピン、リアピン
６０…ＴＲＵユニット
６１…フレーム
６１ａ…ピン
７０、７１…フロントブラケット、リアブラケット
７０ａ、７１ａ…ストッパ
７２、７３…フロントピン支持穴、リアピン支持穴
７６、７７…第１の穴部、第２の穴部
７８…スリット部
７９…ＴＲＵ支持穴
【図１】
2007310017.tif 000003
【図２】
2007310017.tif 000004
【図３】
2007310017.tif 000005
【図４】
2007310017.tif 000006
【図５Ａ】
2007310017.tif 000007
【図５Ｂ】
2007310017.tif 000008
【図６】
2007310017.tif 000009
【図７】
2007310017.tif 000010
【図８】
2007310017.tif 000011
【図９】
2007310017.tif 000012
【図１０】
2007310017.tif 000013
【図１１】
2007310017.tif 000014
【図１２】
2007310017.tif 000015
【図１３】
2007310017.tif 000016
【図１４】
2007310017.tif 000017
【図１５】
2007310017.tif 000018
【図１６】
2007310017.tif 000019
【図１７】
2007310017.tif 000020
【図１８】
2007310017.tif 000021